(57)【要約】【課題】補強材がなくても火災発生時における召合わせ框の反りを抑制し、内外障子間の隙間を発生させないようにすることのできるサッシを提供する。【解決手段】内障子２を構成する召合わせ框２３の室外側壁部２３ｃには、見付方向に伸びる第１部材２３ｇが設けられ、外障子３を構成する召合わせ框２４の室内側壁部２４ｂには、見付方向に伸びる第２部材２４ｇが設けられ、召合わせ框２３、２４の見付方向において、第１部材２３ｇは第２部材２４ｇに対して外障子３が開く方向に離れた位置に配置され、第２部材２４ｇは第１部材２３ｇに対して内障子２が開く方向に離れた位置に配置される。【選択図】図４
2013224518.tif 000002
【特許請求の範囲】
【請求項１】
上枠と下枠及び左右の縦枠を枠組みしてなる枠体に、上框と下框、縦框及び召合わせ框を框組みしてなる框体を有する内障子と外障子を納めてなるサッシにおいて、
前記内障子を構成する召合わせ框の室外側壁部には、見付方向に伸びる第１部材が設けられ、前記外障子を構成する召合わせ框の室内側壁部には、見付方向に伸びる第２部材が設けられ、
前記召合わせ框の見付方向において、前記第１部材は前記第２部材に対して前記外障子が開く方向に離れた位置に配置され、前記第２部材は前記第１部材に対して前記内障子が開く方向に離れた位置に配置されることを特徴とするサッシ。
【請求項２】
前記上框と下框及び召合わせ框の端部が前記枠体に接触した状態で、前記第１部材と第２部材とが向かい合うことを特徴とする請求項１記載のサッシ。
【請求項３】
前記外障子の召合わせ框と内障子の召合わせ框の少なくとも一方は、見付方向または見込方向に変形した際に、前記第１部材と第２部材が向かい合わない位置までの変形に止める補強材が設けられてないことを特徴とする請求項１または２記載のサッシ。
【請求項４】
前記内障子を構成する召合わせ框には、室外側壁部から見込方向に突出する基部と、該基部から見付方向に伸びる煙返し部とが形成され、前記外障子を構成する召合わせ框には、室内側壁部から見込方向に突出する基部と、該基部から見付方向に伸びる煙返し部とが形成され、前記内障子の煙返し部と前記外障子の煙返し部の各先端部に前記第１部材と第２部材が設けられることを特徴とする請求項１〜３のいずれか１項に記載のサッシ。
【請求項５】
前記第１部材と第２部材のいずれか一方は、他方の前記基部に形成される開口部を挿通されて見付方向に伸びることを特徴とする請求項４記載のサッシ。
【請求項６】
前記内障子の召合わせ框と前記外障子の召合わせ框の一方にはクレセントが設けられ、前記内障子の召合わせ框と前記外障子の召合わせ框の他方にはクレセント受けが設けられ、前記第１部材と第２部材は、少なくとも前記クレセント及びクレセント受けから離れた位置に設けられていることを特徴とする請求項１〜５のいずれか１項に記載のサッシ。
【請求項７】
前記内障子の召合わせ框と前記外障子の召合わせ框の一方には、対向する召合わせ框に対して当接する気密材が設けられ、該気密材は、設けられる前記内障子の召合わせ框または前記外障子の召合わせ框の外周端部よりも内周側寄りに配置されることを特徴とする請求項１〜６のいずれか１項に記載のサッシ。
【請求項８】
前記上框と下框には、前記上枠に形成される上レール部及び前記下枠に形成される下レール部にそれぞれ対向する振止部品が設けられ、該振止部品は、前記上框または下框が前記上枠または下枠の内周面に接近した際に、前記上レール部または下レール部を保持または室外側に押圧する引き寄せ部を有することを特徴とする請求項１〜７のいずれか１項に記載のサッシ。
【発明の詳細な説明】
【技術分野】
【０００１】
本発明は、建物開口部に設けられる枠体内に内外障子を納めたサッシに関し、特に火災発生時において高温に晒されても内外障子の召合わせ部分に隙間を発生させないようにしたサッシに関する。
【背景技術】
【０００２】
建物開口部に設けられるサッシにおいて、枠体内に内外障子を引き違い状あるいは片引き状に納めてなるサッシが広く用いられている。サッシには、火災が発生した場合にも、一定時間以上、閉塞状態を維持する防火性能が求められる。金属製や樹脂製のサッシにおいては、火災時に高温に晒されることで熱膨張が生じ、枠体を構成する枠材や障子を構成する框材が大きく伸びる現象が発生する。枠材や框材の端部に隙間がある場合には、これらの部材は長手方向に伸びていくが、隙間がない場合には、それ以上伸びることができないため、反りが発生して部材が屈曲し、見込方向の変形も発生する。
【０００３】
防火性能を十分に確保するためには、サッシが高温に晒されたとしても、サッシを構成する枠体と障子との位置関係をそのままに保つことで、枠体と障子の間に隙間を生じさせないようにすることが重要である。また、内外障子の召合わせ部分においては、内障子の召合わせ框と外障子の召合わせ框が室内外に対向しており、これらの間が開かないようにすることが必要である。
【０００４】
内外障子間の隙間は、框材の長手方向のみの伸びであれば、大きな隙間の発生にはつながらないが、見込方向にも変形すると、特に召合わせ部分において、框材が見込方向に並んでおり、内外で温度差が顕著に発生するため、それぞれ異なった変形を生じることで、結果的に内外障子間に大きな隙間を発生して、火災時における空気の流路となるおそれがある。これは、召合わせ框に設けられるクレセントなどの錠装置から遠い位置で特に生じる可能性がある。
【０００５】
これに対し、錠装置の数を増やすことで、召合わせ框の変形を抑制することも考えられるが、意匠性を低下させたり、また重量を増加させたりすることを免れない。一つの錠をかけることで複数のかかりを発生させるものもあるが、構造が複雑化してしまうし、重量も増加する。
【０００６】
従来は、線膨張係数の大きいアルミ材で形成される召合わせ框の中空内部に、線膨張係数の小さいスチール材で形成される補強部材を設けて、高温に晒された際の反りをできるだけ抑える対策が取られている。また、上下框にもスチール材からなる補強部材を設け、上下框の伸びを抑えて召合わせ框の反りが発生しないようにしている。このようなサッシとしては、例えば特許文献１に挙げるようなものがある。
【先行技術文献】
【特許文献】
【０００７】
【特許文献１】特開２００４−１６９４５３号公報
【発明の概要】
【発明が解決しようとする課題】
【０００８】
障子の操作性等の理由から、障子を軽い力で移動させることができるサッシが望まれている。障子の重量を低減するため、上下框や召合わせ框に補強部材を設けないようにすることが考えられる。しかし、火災発生時に高温に晒され熱膨張が発生することで伸びや反りが発生し、さらに内外温度差が顕著に発生することも重なって、内外障子間に隙間が生じることとなる。
【０００９】
本発明は前記課題を鑑みてなされたものであり、補強材がなくても火災発生時における召合わせ框の反りを抑制し、内外障子間の隙間を発生させないようにすることのできるサッシを提供することを目的とする。
【課題を解決するための手段】
【００１０】
前記課題を解決するため、本発明に係るサッシは、上枠と下枠及び左右の縦枠を枠組みしてなる枠体に、上框と下框、縦框及び召合わせ框を框組みしてなる框体を有する内障子と外障子を納めてなるサッシにおいて、
前記内障子を構成する召合わせ框の室外側壁部には、見付方向に伸びる第１部材が設けられ、前記外障子を構成する召合わせ框の室内側壁部には、見付方向に伸びる第２部材が設けられ、
前記召合わせ框の見付方向において、前記第１部材は前記第２部材に対して前記外障子が開く方向に離れた位置に配置され、前記第２部材は前記第１部材に対して前記内障子が開く方向に離れた位置に配置されることを特徴として構成されている。
これにより、框体の框材が熱によって伸びた場合に、第１部材と第２部材とが近づいて見込方向に向かい合わせることができる。
【００１１】
また、本発明に係るサッシは、前記上框と下框及び召合わせ框の端部が前記枠体に接触した状態で、前記第１部材と第２部材とが向かい合うことを特徴として構成されている。これにより、召合わせ框が変形しようとした際に、第１部材と第２部材で規制することができる。
【００１２】
さらに、本発明に係るサッシは、前記外障子の召合わせ框と内障子の召合わせ框の少なくとも一方は、見付方向または見込方向に変形した際に、前記第１部材と第２部材が向かい合わない位置までの変形に止める補強材が設けられてないことを特徴として構成されている。これにより、障子の重量を小さくすることができる。
【００１３】
さらにまた、本発明に係るサッシは、前記内障子を構成する召合わせ框には、室外側壁部から見込方向に突出する基部と、該基部から見付方向に伸びる煙返し部とが形成され、前記外障子を構成する召合わせ框には、室内側壁部から見込方向に突出する基部と、該基部から見付方向に伸びる煙返し部とが形成され、前記内障子の煙返し部と前記外障子の煙返し部の各先端部に前記第１部材と第２部材が設けられることを特徴として構成されている。これにより、内外の召合わせ框が離れるように移動した場合にも、第１部材と第２部材が確実に対向するように配置される。
【００１４】
そして、本発明に係るサッシは、前記第１部材と第２部材のいずれか一方は、他方の前記基部に形成される開口部を挿通されて見付方向に伸びることを特徴として構成されている。これにより、第１部材または第２部材が見付方向により長くなるように設計することができる。
【００１５】
また、本発明に係るサッシは、前記内障子の召合わせ框と前記外障子の召合わせ框の一方にはクレセントが設けられ、前記内障子の召合わせ框と前記外障子の召合わせ框の他方にはクレセント受けが設けられ、前記第１部材と第２部材は、少なくとも前記クレセント及びクレセント受けから離れた位置に設けられていることを特徴として構成されている。これにより、内外障子の相対位置を固定するクレセントから遠いために変形しやすい部分を補強することができる。
【００１６】
さらに、本発明に係るサッシは、前記内障子の召合わせ框と前記外障子の召合わせ框の一方には、対向する召合わせ框に対して当接する気密材が設けられ、該気密材は、設けられる前記内障子の召合わせ框または前記外障子の召合わせ框の外周端部よりも内周側寄りに配置されることを特徴として構成されている。これにより、気密材から障子の外周側端部までの距離をできるだけ大きくすることができる。
【００１７】
さらにまた、本発明に係るサッシは、前記上框と下框には、前記上枠に形成される上レール部及び前記下枠に形成される下レール部にそれぞれ対向する振止部品が設けられ、該振止部品は、前記上框または下框が前記上枠または下枠の内周面に接近した際に、前記上レール部または下レール部を保持または室外側に押圧する引き寄せ部を有することを特徴として構成されている。これにより、上框や下框と枠体との間に隙間を発生させないようにすると共に、上框や下框が大きく変形することに伴って内外の召合わせ框がより大きく離れることを防止できる。
【発明の効果】
【００１８】
請求項１に係る本発明のサッシによれば、框体の框材が熱によって伸びた場合に、第１部材と第２部材とが近づくので、内外障子の召合わせ框における見込方向の変形を抑制することができ、反りを効果的に防止することができる。
【００１９】
また、請求項２に係る本発明のサッシによれば、召合わせ框が変形しようとした際に、第１部材と第２部材で規制ができ、召合わせ框の変形を抑制できるから、内外障子の召合わせ部における隙間の発生を防止することができる。
【００２０】
また、請求項３に係る本発明のサッシによれば、障子の重量を小さくできるので、障子の開閉操作を容易にして、操作性を向上させることができる。
【００２１】
さらにまた、請求項４に係る本発明のサッシによれば、内外の召合わせ框が離れるように移動した場合にも、第１部材と第２部材が確実に対向するので、召合わせ框の反りを抑制することができる。
【００２２】
そして、請求項５に係る本発明のサッシによれば、第１部材または第２部材を見付方向により長くすることができ、框体の変形が大きい場合でも、より確実に隙間の発生を防止することができる。
【００２３】
また、請求項６に係る本発明のサッシによれば、クレセントから遠いために変形しやすい部分を補強できるので、召合わせ框の全長に渡り反りを抑制し、内外障子の召合わせ部における隙間の発生を防止することができる。
【００２４】
さらに、請求項７に係る本発明のサッシによれば、気密材から障子の外周側端部までの距離が大きくなるので、内外障子の召合わせ框が離れる方向に移動しても、気密材の当接状態を維持することができる。
【００２５】
さらにまた、請求項８に係る本発明のサッシによれば、上下框の振止と共に、召合わせ框の大きな移動を防止できるので、サッシ全体として確実に隙間の発生を防止することができる。
【図面の簡単な説明】
【００２６】
【図１】本実施形態のサッシの縦断面図である。
【図２】本実施形態のサッシの横断面図である。
【図３】図２のうち内障子と外障子の召合わせ部分拡大図である。
【図４】火災が発生してサッシが高温に晒された際の内障子と外障子の召合わせ部分拡大図である。
【図５】火災発生時の状態における上枠と上框の位置関係を表した拡大縦断面図である。
【図６】火災発生時の状態における下枠と下框の位置関係を表した拡大縦断面図である。
【図７】第２の形態の煙返し部を有するサッシの召合わせ部分拡大図である。
【図８】図７の内外召合わせ框が離れる方向に移動した場合のサッシの召合わせ部分拡大図である。
【図９】第３の形態の煙返し部を有するサッシの召合わせ部分拡大図である。
【図１０】図９の内外召合わせ框が離れる方向に移動した場合のサッシの召合わせ部分拡大図である。
【図１１】第４の形態の煙返し部を有するサッシの召合わせ部分拡大図である。
【発明を実施するための形態】
【００２７】
本発明の実施形態について図面に沿って詳細に説明する。図１には本実施形態のサッシの縦断面図を、図２には本実施形態のサッシの横断面図を、それぞれ示している。これら各図に示すように、本実施形態のサッシは、建物開口部に取付けられる枠体１内に、内障子２と外障子３を引き違い状に納めてなる引き違いサッシである。
【００２８】
枠体１は、いずれもアルミなどの金属材からなる上枠１０と下枠１１及び左右の縦枠１２、１２を方形状に枠組みして構成されている。内障子２は、いずれも金属材からなる上框２０と下框２１、縦框２２及び内召合わせ框２３を方形状に框組みしてなる框体４内に、ガラス板からなるパネル体５を納めて構成されている。外障子３は、いずれも金属材からなる上框２０と下框２１、縦框２２及び外召合わせ框２４を方形状に框組みしてなる框体４内に、ガラス板からなるパネル体５を納めて構成されている。
【００２９】
枠体１を構成する上枠１０は、内周面１０ａの室内外端部からそれぞれ垂直方向に伸びる室内側面１０ｂと室外側面１０ｃを備え、これら室内側面１０ｂと室外側面１０ｃの間には、内障子２の上辺を長手方向に案内する内上レール部１０ｄと、外障子３の上辺を長手方向に案内する外上レール部１０ｅとが、それぞれ内周面１０ａから突出状に形成されている。
【００３０】
枠体１を構成する下枠１１は、内周面１１ａが室内外方向に段差を有するように形成されており、室内側が高く、室外側が低くなっている。この内周面１１ａのうち高い側の室内側には、内障子２の下辺を長手方向に案内する内レール部１１ｂが、内周面１１ａのうち低い側の室外側には、外障子３の下辺を長手方向に案内する外レール部１１ｃが、それぞれ突出状に形成されている。
【００３１】
下枠１１の室内側面には、内障子２を構成する下框２１の室内側面と対向する内障子対向部１１ｄが形成され、その先端部には気密材１１ｆが設けられて、この気密材１１ｆが内障子２の室内側面に当接することで、内障子２下辺の気密性を確保している。また、下枠１１には、内レール部１１ｂの下部から室外側に突出し外障子３を構成する下框２１の室内側面と対向する外障子対向部１１ｅが形成され、その先端部には気密材１１ｆが設けられて、この気密材１１ｆが外障子３の室内側面に当接することで、外障子３下辺の気密性を確保している。
【００３２】
枠体１を構成する縦枠１２は、内周面１２ａの室内外端部からそれぞれ垂直方向に伸びる室内側面１２ｂと室外側面１２ｃを備えている。縦枠１２のうち、閉じた状態の内障子２が配置される側の内周面１２ａには、内障子２の外周面に向かって突出する中間フィン部１２ｄが形成されている。また、室内側面１２ｂを構成する面のうち内周面１２ａより見付方向内側に突出する部分は、内障子２を構成する縦框２２の室内側面と対向する室内フィン部１２ｆとなっている。室内フィン部１２ｆの先端部には、気密材１２ｇが設けられて内障子２の室内側面に当接し、内障子２縦辺の気密性を確保している。
【００３３】
縦枠１２のうち、閉じた状態の外障子３が配置される側の内周面１２ａには、外障子３の外周面に向かって突出する中間フィン部１２ｄが形成されている。また、中間フィン部１２ｄより室内側の内周面１２ａからは、外障子３を構成する縦框２２の室内側面と対向する室内フィン部１２ｆが突出しており、その先端部には気密材１２ｇが設けられて外障子３の室内側面に当接し、外障子３縦辺の気密性を確保している。
【００３４】
框体４を構成する上框２０は、内周側にはパネル体５の端部を納めるパネル飲込部２０ａを有し、外周側には上枠１０の内上レール部１０ｄまたは外上レール部１０ｅを飲み込んで案内されるレール案内部２０ｂを有している。レール案内部２０ｂは断面凹状となっており、その開口付近には室内外にそれぞれ気密材２０ｃが設けられていて、これらが内上レール部１０ｄまたは外上レール部１０ｅに当接することで、内障子２及び外障子３上辺の気密性を確保している。
【００３５】
框体４を構成する下框２１は、内周側にパネル体５の端部を納めるパネル飲込部２１ａを有している。下框２１の外周側、すなわち下端部には戸車２１ｄが設けられており、戸車２１ｄが下枠１１の内レール部１１ｂまたは外レール部１１ｃに載置されることにより、内障子２や外障子３を移動自在としている。
【００３６】
下框２１の室内側面には、下端部が下方に延出された室内面延出部２１ｂが形成されている。内障子２の室内面延出部２１ｂは下枠１１の内障子対向部１１ｄと対向し、外障子３の室内面延出部２１ｂは下枠１１の外障子対向部１１ｅと対向して、気密材１１ｆに当接する。下框２１の室外側面にも、下端部が下方に延出された室外面延出部２１ｃが形成されている。室外面延出部２１ｃは、内レール部１１ｂまたは外レール部１１ｃの上端より下方まで延出されており、風雨の室内側への吹き込みを防止している。
【００３７】
框体４を構成する縦框２２は、内周側にパネル体５の端部を納めるパネル飲込部２２ａを有している。縦框２２の外周側には縦枠１２の中間フィン部１２ｄを飲み込む凹状のフィン飲込部２２ｃが形成されている。フィン飲込部２２ｃを構成する室内側面は、縦枠１２の室内フィン部１２ｆに設けられる気密材１２ｇに対して当接し、これによって内障子２及び外障子３縦辺の気密性を確保している。
【００３８】
縦框２２のパネル飲込部２２ａには、長手方向中間位置の室内側部分に、樹脂製のピース状からなる縦引き寄せ部材２５が設けられている。縦引き寄せ部材２５は、内障子２または外障子３が閉じた状態で、パネル飲込部２２ａの室内側面と縦枠１２の中間フィン部１２ｄとに挟まれる形状を有しており、内障子２または外障子３を閉じた際に、縦框２２が室内外方向に振れないようにすると共に、内障子２または外障子３を室内側に引き寄せて、縦框２２が確実に縦枠１２の気密材１２ｇに当接するようにしている。
【００３９】
内障子２の框体４を構成する内召合わせ框２３は、内周側にパネル体５の端部を納めるパネル飲込部２３ａを有している。内召合わせ框２３の室外側壁部２３ｃには、断面略Ｌ字状に形成された煙返し部２３ｄが形成されている。また、内召合わせ框２３の室外側壁部２３ｃには、気密材２３ｅが設けられていて、外召合わせ框２４に対して当接している。
【００４０】
外障子３の框体４を構成する外召合わせ框２４は、内周側にパネル体５の端部を納めるパネル飲込部２４ａを有している。外召合わせ框２４の室内側壁部２４ｂには、断面略Ｌ字状に形成された煙返し部２４ｄが形成されている。内召合わせ框２３の煙返し部２３ｄと外召合わせ框２４の煙返し部２４ｄは、内障子２と外障子３が閉じた状態において互いに近接し、これによって内障子２と外障子３の召合わせ部分における隙間が塞がれ、さらに、内召合わせ框２３の気密材２３ｅが外召合わせ框２４の室内側壁部２４ｂに当接することによって、召合わせ辺の気密性を確保している。
【００４１】
また、内召合わせ框２３の外周側面には、クレセント６が設けられ、外召合わせ框２４の内周側面には、受け金具７が設けられ、内障子２と外障子３が閉じた状態で、クレセント６を操作して受け金具７に係止させることで、内障子２と外障子３が開かないようにロックすることができる。
【００４２】
図３には、図２のうち内障子２と外障子３の召合わせ部分拡大図を示している。内召合わせ框２３の煙返し部２３ｄは、内召合わせ框２３の室外側壁部２３ｃから見込方向に突出する基部２３ｆの室外側先端から内障子２の見付方向内側に向かって伸びるように形成されている。外召合わせ框２４の煙返し部２４ｄは、外召合わせ框２４の室内側壁部２４ｂから室内側に向かって突出する基部２４ｆの室内側先端から外障子３の見付方向内側に向かって伸びるように形成されている。
【００４３】
内召合わせ框２３の煙返し部２３ｄと外召合わせ框２４の煙返し部２４ｄは、内障子２と外障子３が閉じた状態で互いに近接しあっている。なお、煙返し部２３ｄ、２４ｄは互いに当接していてもよい。内召合わせ框２３の煙返し部２３ｄは、近接する側の面が、基部２３ｆ側から先端側に向かって室内側から室外側に向かう傾斜面状となっており、外召合わせ框２４の煙返し部２４ｄは、近接する側の面が、基部２４ｆ側から先端側に向かって室外側から室内側に向かう傾斜面状となっていて、内障子２と外障子３を閉じた際に、煙返し部同士が確実に近接するようになっている。火災が発生してサッシが高温に晒された際には、煙返し部２３ｄ、２４ｄは互いに当接しあう。ただし、この場合に互いに近接するものであってもよい。
【００４４】
内障子２の煙返し部２３ｄは、先端部が延長された第１部材２３ｇを有し、外障子３の煙返し部２４ｄは、先端部が延長された第２部材２４ｇを有している。第１部材２３ｇは、内召合わせ框２３及び外召合わせ框２４の見付方向において、第２部材２４ｇに対して外障子３が開く方向に離れた位置に配置されている。また、第２部材２４ｇは、内召合わせ框２３及び外召合わせ框２４の見付方向において、第１部材２３ｇに対して内障子２が開く方向に離れた位置に配置されている。すなわち、両者は見付方向において互い違いとなっていて、互いに向かい合っていない状態となっている。
【００４５】
図２において、サッシの開口幅Ｗは、左右の縦枠１２、１２における内周側端部間の距離であり、このサッシの開口幅Ｗに対する、煙返し部２３ｄ、２４ｄが当接あるいは近接し合う長さＸの比率は、一定以上の長寸状となるように設定されている。その比率の算出方法については後で詳述する。
【００４６】
図４には、火災が発生してサッシが高温に晒された際の内障子２と外障子３の召合わせ部分拡大図を示している。火災が発生してサッシが高温に晒されると、框体４を構成する各框材には熱膨張が生じ、内召合わせ框２３と外召合わせ框２４は長手方向に伸びると共に、上框２０及び下框２１の長手方向への伸びに引っ張られる。一方で、召合わせ部分の上下中央部には、前述のようにクレセント６が設けられていて、内召合わせ框２３と外召合わせ框２４とが固定されている。このため、内召合わせ框２３は、見付方向においては、上下端部側がそれぞれ内障子２が配置される側の縦枠１２から離れる方向に移動し、上下中央部はほぼ元の位置を維持するので、内障子２が配置される側の縦枠１２に向かって凸状となるように屈曲変形する。また、外召合わせ框２４は、見付方向においては、上下端部側がそれぞれ外障子３が配置される側の縦枠１２から離れる方向に移動し、上下中央部はほぼ元の位置を維持するので、外障子３が配置される側の縦枠１２に向かって凸状となるように屈曲変形する。図４は、見付方向の変形量が大きい内召合わせ框２３及び外召合わせ框２４の端部付近の断面図であり、内障子２は図中左方向に、外障子３は図中右方向に、それぞれ移動しようとする。
【００４７】
また、火災の際には、サッシの室内側または室外側の一方が高温に晒されるため、框体４の室内側面と室外側面には、大きな温度差が生じる。サッシの室外側が高温に晒された場合は、框体４の室外側面の温度が高く、室内側面の温度が室外側面よりも低くなるので、内召合わせ框２３と外召合わせ框２４は、見込方向において、いずれも室外側に向かって凸状となるように屈曲変形する。
【００４８】
さらに、内召合わせ框２３と外召合わせ框２４の間でも、大きな温度差が生じる。サッシの室外側が高温に晒された場合には、外召合わせ框２４が見込方向により大きく変形し、内召合わせ框２３は外召合わせ框２４よりも小さく変形する。このため、内召合わせ框２３の室外側壁２３ｃと外召合わせ框２４の室内側壁２４ｂは、見込方向においていずれも室外側に移動しようとするが、外召合わせ框２４の方が内召合わせ框２３よりも室外側に大きく移動しようとするので、内召合わせ框２３と外召合わせ框２４は、相対的には室内外に離れる方向へ移動しようとすることとなる。
【００４９】
内召合わせ框２３と外召合わせ框２４は、これら見付方向及び見込方向への移動によって、図４に示す太い矢印の方向に向かい、結果的に互いに離れる方向に移動する。なお、サッシの室内側が高温に晒された場合には、見込方向における移動方向が逆になり、また、内召合わせ框２３の方が、外召合わせ框２４よりも大きく変形することとなるが、内召合わせ框２３と外召合わせ框２４が見付方向及び見込方向においてそれぞれ互いに離れるように移動する点では同様である。
【００５０】
内障子２の煙返し部２３ｄと外障子３の煙返し部２４ｄは、それぞれ内召合わせ框２３と外召合わせ框２４の見込方向の変形に伴って、共に室外側に向かって凸状となるように屈曲変形する。内障子２の第１部材２３ｇは、見込方向の変形量が小さく、外障子３の第２部材２４ｇは、内障子２の室外側壁２３ｃと内障子２の第１部材２３ｇに囲まれた空間内に拘束されるから、第２部材２４ｇは、当該空間内で座屈変形するに止まり、第１部材２３ｇと第２部材２４ｇは、見付方向において外れなければ、見込方向に大きく離れることはない。
【００５１】
このような、内召合わせ框２３及び外召合わせ框２４の変形により、煙返し部２３ｄ、２４ｄにそれぞれ形成された第１部材２３ｇと第２部材２４ｇは、見付面内の移動により、互いに近づく。このため、上框２０や下框２１及び内召合わせ框２３、外召合わせ框２４の端部が枠体１に接触するまで熱膨張した状態において、図４に示すように、第１部材２３ｇと第２部材２４ｇは互いに向かい合う状態となり、召合わせ部分における隙間の発生が防止される。図４で互いに対向した部分が、それぞれ第１部材２３ｇと第２部材２４ｇであり、ここで隙間が発生しないように、煙返し部２３ｄ、２４ｄの当接あるいは近接し合う長さＸが設定されているから、火災発生時にも召合わせ部に隙間を生じさせることがなく、防火性能を十分に確保することができる。
【００５２】
また、第１部材２３ｇと第２部材２４ｇは、少なくともクレセント６から離れた位置に設けられていることが必要であるが、本実施形態では、煙返し部２３ｄ、２４ｄの全長に渡って第１部材２３ｇと第２部材２４ｇが形成されており、より確実に隙間の発生を防止することができる。さらには、第１部材２３ｇと第２部材２４ｇが煙返し部２３ｄ、２４ｄの全長に渡り形成されているので、クレセント６を有しないサッシであっても、確実に隙間の発生を防止することができる。
【００５３】
図３に示すように、内召合わせ框２３の室外側壁部２３ｃに設けられる気密材２３ｅは、煙返し部２３ｄに隣接する位置に配置されると共に、内障子２と外障子３が閉じた状態で、外召合わせ框２４の室内側壁部２４ｂに対して当接している。すなわち、気密材２３ｅは、内召合わせ框２３の見付方向外側端部よりも内周面側寄りとなるように配置されている。
【００５４】
気密材２３ｅが当接する外召合わせ框２４の室内側壁部２４ｂは、気密材２３ｅに当接される当接面部２４ｈと、見付方向内側端部位置から当接面部２４ｈまでを構成する内周面部２４ｉとを有し、内周面部２４ｉの方が当接面部２４ｈよりも室外側寄りとなるように、両者が段差状に形成されている。
【００５５】
図４に示すように、火災が発生して煙返し部２３ｄ、２４ｄが離れるように内召合わせ框２３と外召合わせ框２４が移動したとき、気密材２３ｅが内召合わせ框２３の見付方向外側端部よりも内側寄りに配置されていることにより、気密材２３ｅの外召合わせ框２４に対する当接状態が維持され、隙間を生じないようにすることができる。本実施形態では、火災発生時にサッシが高温に晒された際に、煙返し部２３ｄ、２４ｄが当接した状態を維持することと、気密材２３ｅの当接状態を維持することとが相俟って、内召合わせ框２３と外召合わせ框２４の間に隙間を生じさせないので、防火性能を十分に確保することができる。
【００５６】
また、気密材２３ｅは、高温に晒されても、燃焼せずに形状を保持できる材料によって形成されており、これによって、火災発生時においてより確実に隙間の発生を防止することができる。
【００５７】
このように、本実施形態のサッシでは、火災発生時に高温に晒されても、煙返し部２３ｄ、２４ｄと気密材２３ｅによって召合わせ部に隙間を生じさせないようにすることができるので、框材に補強材を設けたり、あるいは加熱発泡材を設けたりする必要がなく、十分な防火性能を確保しつつコストダウンを図ることができる。ここでの補強材とは、内召合わせ框２３または外召合わせ框２４が見付方向または見込方向に変形した際に、第１部材２３ｇと第２部材２４ｇが互いに向かい合わない位置までの変形に止めるものをいう。
【００５８】
本実施形態では、気密材２３ｅを内召合わせ框２３の見付方向外側端部よりも内周面側寄りに配置したことにより、前述のように火災発生時にも当接状態を維持するようにしている一方、通常時においては、内障子２と外障子３を開閉する際に、気密材２３ｅの外召合わせ框２４に対する当接による摩擦力が抵抗となり、そのままでは開閉のために必要な力が大きくなってしまうという問題が生じる。これに対し、外召合わせ框２４の室内側壁部２４ｂは、内周面部２４ｉの方が当接面部２４ｈよりも室外側寄りとなる段差状に形成されているので、内障子２と外障子３を開閉する際に気密材２３ｅが当接する内周面部２４ｉに対する気密材２３ｅの押圧力を小さくし、摩擦力を小さくすることができる。すなわち、通常時において気密材２３ｅによって開閉に必要な力が増大する問題を緩和することができる。
【００５９】
框体４においては、上框２０及び下框２１が大きく湾曲することで、内召合わせ框２３や外召合わせ框２４がより大きく引っ張られて、召合わせ部における隙間を生じてしまう可能性もあるから、上框２０及び下框２１についても、振止の対策をなすことが必要となる。
【００６０】
図１に示すように、上框２０のレール案内部２０ｂには、上振止部品２５が設けられている。上振止部品２５は、上框２０に対して固着される基部２５ａと、基部２５ａから上方に向かって伸びる室内立ち上がり部２５ｂと室外立ち上がり部２５ｃとを有して構成されている。基部３１から伸びる室内立ち上がり部２５ｂと室外立ち上がり部２５ｃは、長手方向で異なる位置に形成されている。また、室内立ち上がり部２５ｂと室外立ち上がり部２５ｃは、それぞれ立ち上がり位置側が傾斜状となっており、側面視における両者の間隔は、立ち上がり位置側、すなわち奥側に向かって狭くなるように形成されている。通常時において上振止部品２５は、上枠１０の内上レール部１０ｄの飲み込み深さが小さいため、これと接することはなく、障子の開閉に支障がないようにされている。
【００６１】
図５には、火災発生時の状態における上枠１０と上框２０の位置関係を表した拡大縦断面図を示している。この図に示すように、サッシが高温に晒されて上框２０が上枠１０の内周面１０ａに近づくと、上枠１０の内上レール部１０ｄを上振止部品２５が深く飲み込み、内上レール部１０ｄの先端付近は、上振止部品２５の室内立ち上がり部２５ｂと室外立ち上がり部２５ｃによって形成される幅の狭い部分に配置される。これにより、上框２０が室内外方向に振れることを防止することができる。上振止部品２５は、上框２０の長手方向において任意の位置に設けることができる。
【００６２】
図１に示すように、下框２１の下面部には、下振止部品２６が設けられている。下振止部品２６は、下框２１に対して固着される基部２６ａと、基部２６ａから下方に向かって伸びる垂下部２６ｂとを有している。垂下部２６ｂは、上下方向中間部に段差部２６ｃを有し、段差部２６ｃ下方の部分が、段差部２６ｃ上方の部分よりも室内側寄りとなるように形成されている。通常時において下振止部品２６は、下枠１１の内レール部１１ｂや外レール部１１ｃには接触しないように配置されており、障子の開閉に支障がないようにされている。
【００６３】
図６には、火災発生時の状態における下枠１１と下框２１の位置関係を表した拡大縦断面図を示している。この図に示すように、サッシが高温に晒されて下框２１が下枠１１の内周面１１ａに近づくと、下振止部品２６の段差部２６ｃが、内レール部１１ｂまたは外レール部１１ｃの上端部に当接する。垂下部２６ｂは、段差部２６ｃより上方部分が室外側寄りとなるように形成されているから、垂下部２６ｂは内レール部１１ｂまたは外レール部１１ｃを室外側に押圧し、これに対する反力で下框２１は室内側に引き寄せられる。これによって、下框２１が室内外方向に振れることを防止することができる。下振止部品２６は、下框２１の長手方向において戸車２１ｄと干渉しない任意の位置に設けることができる。
【００６４】
このように、上框２０に上振止部品２５を、下框２１に下振止部品２６を、それぞれ設けたことで、火災発生時に上框２０や下框２１が大きく湾曲することを防止でき、それに伴い、内召合わせ框２３や外召合わせ框２４の反りも抑制することができるので、召合わせ部における隙間発生をより確実に防止することができる。
【００６５】
次に、サッシの開口幅Ｗに対する煙返し部２３ｄ、２４ｄが当接あるいは近接し合う長さＸの比率の算出方法について説明する。本発明において、防火性能の基準となるのは、建築基準法第２条第７号の規定に基づく性能評価試験を行って、耐火構造として認定される水準である。具体的には、財団法人日本建築総合試験所の防耐火性能試験・評価業務方法書に定められた性能評価試験に合格することが必要である。この性能評価試験の条件において、内召合わせ框２３と外召合わせ框２４が離れる方向に最大限移動した場合でも、煙返し部２３ｄ、２４ｄの当接状態が維持されるように、長さＸの比率を定める。
【００６６】
性能評価試験では、サッシの室内外一方を、下記（１）式で表される時間ｍ（分）に対応する温度Ｔ（ｍ）（℃）となる炉内に２０分間晒し、その間に火炎の貫通のないことが求められる。なお、防火性能は、性能評価試験中においてガラス板であるパネル体５が割れないことを前提としている。
Ｔ（ｍ）＝３４５×ｌｏｇ10（８ｍ＋１）＋２０    ・・・（１）
【００６７】
この条件にサッシを実際に晒した場合の、下框２１における温度変化を表１に示す。なお、試験中に下框２１の室内外面でそれぞれ計測した温度を平均して、下框２１における温度としている。
【００６８】
【表１】
2013224518.tif 000003
【００６９】
この実験結果から、上框２０及び下框２１の常温との温度差が５５９℃となったときの、上框２０及び下框２１の熱伸び量から想定される内召合わせ框２３及び外召合わせ框２４の水平方向移動量よりも、煙返し部２３ｄ、２４ｄの当接あるいは近接長さＸが大きければ、煙返し部２３ｄ、２４ｄにおいて当接状態が維持され、隙間を生じないようにすることができると言える。
【００７０】
図２に示されているように、縦框２２は、縦枠１２の内周面との間に隙間を有しており、この隙間の幅ｎ１（ｍｍ）の分だけ、上框２０及び下框２１が横方向に変形可能である。また、上框２０と下框２１は、端面がシーラー材を介して縦框２２に連結されているが、火災の際にはシーラー材は溶融してしまうので、シーラー材の厚みｎ２（ｍｍ）の分も、横方向に変形可能となる。なお、図２では外障子３についてのみ、ｎ１とｎ２を示しているが、内障子２についても同様である。よって、上框２０及び下框２１の横方向逃げ寸法ｎ（ｍｍ）は、ｎ１＋ｎ２で求められる。本実施形態では、隙間の幅ｎ１は３（ｍｍ）であり、シーラー材の厚みｎ２は１（ｍｍ）である。よって、ｎは４（ｍｍ）となる。
【００７１】
上框２０と下框２１単体での横方向への熱伸び量は、これらを構成するアルミ材の線膨張係数をα（１／℃）、上框２０及び下框２１の長さをＬ（ｍｍ）、上框２０及び下框２１の常温との温度差をΔｔとすると、α×Δｔ×Ｌで表される。
【００７２】
枠体１に納められた框体４を構成する上框２０及び下框２１は、縦框２２や召合わせ框２３、２４に両端が拘束され、また、縦枠１２の内周面１２ａにも突き当たるから、無制限に横方向へ熱伸びするわけではなく、反りや撓みなどの変形も生じる。このため、上框２０及び下框２１の伸び量は、実際にはα×Δｔ×Ｌで表される値よりも小さくなる。そこで、この値に実際のサッシを用いて試験した結果得られた低減率Ｚを乗じることにより、上框２０及び下框２１の実際に想定される横方向への伸び量が算出される。本実施形態のサッシでは、低減率Ｚは０．８であった。
【００７３】
煙返し部２３ｄ、２４ｄでの当接あるいは近接長さＸの最低限必要な長さは、内障子２と外障子３の各上框２０及び下框２１の実際に想定される横方向への伸び量から、上框２０及び下框２１の横方向逃げ寸法ｎを減じることで、求められる。すなわち、下記（２）式で表される。
Ｘ＝α×Δｔ×Ｌ×Ｚ×２−ｎ×２                  ・・・（２）
【００７４】
本実施形態のサッシにおいて、アルミ材の線膨張係数αは２３×１０ー6（１／℃）であり、上框２０及び下框２１の常温との温度差をΔｔは前述の通り５５９℃、開口幅Ｗが１８００（ｍｍ）のサッシにおける上框２０及び下框２１の長さは８６８（ｍｍ）、低減率Ｚは前述の通り０．８、上框２０及び下框２１の横方向逃げ寸法ｎは４（ｍｍ）であるから、これらを（２）式に適用すると、Ｘは１０（ｍｍ）となる。よって、煙返し部２３ｄ、２４ｄの互いに当接あるいは近接し合う長さは、１０（ｍｍ）以上とすればよい。Ｘが１０（ｍｍ）のとき、Ｘのサッシの開口幅Ｗに対する比率は、０．５６％であるから、比率としてはこれ以上であればよい。
【００７５】
ここで求めたＸは、火災発生時に想定される最低限の当接あるいは近接し合う長さであるから、実際のサッシに対しこれを設定するに際しては、裕度を持たせておくことが好ましい。例えば、Ｘを１５（ｍｍ）程度に設定することで、より確実に煙返し部２３ｄ、２４ｄの当接状態を維持することができる。
【００７６】
なお、気密材２３ｅの配置に関しても、外障子３の内周側端部からの距離を、Ｘ以上と設定することで、内召合わせ框２３と外召合わせ框２４が移動しても、確実に当接状態を維持することができる。
【００７７】
第１部材２３ｇと第２部材２４ｇの態様としては、これまで説明したものには限られない。図７には、第２の形態の煙返し部を有するサッシの召合わせ部分拡大図を示している。この図において、内召合わせ框２３と外召合わせ框２４の構成は、煙返し部２３ｄ、２４ｄ以外は図３と同じであるので、説明を省略する。
【００７８】
図７において、内障子２の煙返し部２３ｄと外障子３の煙返し部２４ｄは、図３のものに比べて見付方向に短く形成されている。内障子２の煙返し部２３ｄは、長手方向の一部が切り欠かれており、内障子２の室外側壁部２３ｃには、煙返し部２３ｄが切り欠かれた部分に先端構成部材２３ｈが固定されている。先端構成部材２３ｈは、室外側壁部２３ｃから見込方向に突出する部分が、煙返し部２３ｄと略同じ形状を有しており、内障子２の煙返し部の一部を構成すると共に、煙返し部２３ｄの先端よりも見付方向にさらに突出する第１部材２３ｇを有している。
【００７９】
外障子３の煙返し部２４ｄは、図３のように見付方向に延長されていないが、図７では全体が第２部材２４ｇを構成している。また、外障子３の基部２４ｆには、内障子２の煙返し部２３ｄの切欠部分に対応して、開口部２４ｉが形成されている。先端構成部材２３ｈの第１部材２３ｇは、開口部２４ｉを挿通されている。
【００８０】
図８には、図７の内外召合わせ框が離れる方向に移動した場合のサッシの召合わせ部分拡大図を示している。サッシが高温に晒されて内召合わせ框２３と外召合わせ框２４が離れる方向に移動すると、外障子３の基部２４ｆに形成された開口部２４ｉに挿通されている第１部材２３ｇが、第２部材２４ｇに近づき、内召合わせ框２３と外召合わせ框２４が最大限移動した状態において、第１部材２３ｇと第２部材２４ｇが互いに向かい合い、隙間の発生を防止する。
【００８１】
このように、第１部材２３ｇを見付方向に延長し、外障子３の基部２４ｆに形成された開口部２４ｉを挿通させることによっても、第１部材２３ｇと第２部材２４ｇによる隙間発生防止をなすことができる。前述のように、内召合わせ框２３と外召合わせ框２４の変形は、クレセント６から離れた位置で大きく生じるから、少なくとも内召合わせ框２３の上下端部付近に先端構成部材２３ｈが設けられる。なお、第２部材２４ｇ側に先端構成部材を設けて延長し、内障子２の基部２３ｆに開口部を形成して第２部材２４ｇを挿通させるようにしてもよい。
【００８２】
図９には、第３の形態の煙返し部を有するサッシの召合わせ部分拡大図を示している。この図においても、内召合わせ框２３と外召合わせ框２４の構成は、煙返し部２３ｄ、２４ｄ以外は図３と同じであるので、説明を省略する。
【００８３】
内障子２の煙返し部２３ｄには、先端部に室内側に向かって突出する突起部２３ｉが形成されている。外障子３の煙返し部２４ｄには、先端部に室外側に向かって突出する突起部２４ｋが形成されている。これらの突起部２３ｉ、２４ｋは、通常時には内召合わせ框２３と外召合わせ框２４の見付方向において離れて配置されている。
【００８４】
図１０には、図９の内外召合わせ框が離れる方向に移動した場合のサッシの召合わせ部分拡大図を示している。サッシが高温に晒されて内召合わせ框２３と外召合わせ框２４が離れる方向に移動すると、内障子２の煙返し部２３ｄに形成された突起部２３ｉと、外障子３の煙返し部２４ｄに形成された突起部２４ｋとが近づき、内召合わせ框２３と外召合わせ框２４が最大限移動した状態において、突起部２３ｉ、２４ｋ同士が当接し合った状態となる。これにより、煙返し部２３ｄ、２４ｄがそれ以上離れないようにすることができ、隙間の発生を防止することができる。
【００８５】
図９、図１０においては、内障子２の煙返し部２３ｄと外障子３の煙返し部２３ｄの両方にそれぞれ突起部２３ｉ、２４ｋが形成されているが、内障子２の煙返し部２３ｄか外障子３の煙返し部２４ｄのいずれか一方に突起部が形成される構成であってもよい。この場合には、内外召合わせ框が離れる方向に移動した際に、突起部が対向する煙返し部に当接し、摩擦力により煙返し部２３ｄ、２４ｄがそれ以上離れないようにして、隙間の発生を防止することができる。この構成において、突起部あるいは対向する煙返し部の表面に細かい凹凸を形成しておくことにより、摩擦力を大きくして、より確実に隙間の発生を防止することができる。
【００８６】
煙返し部の形状として、別の形態を採ることもできる。図１１には、第４の形態の煙返し部を有するサッシの召合わせ部分拡大図を示している。本形態では、内召合わせ框２３の室外側壁２３ｃが、内周側が室内側寄りで外周側が室外側寄りとなる段差状となっており、外周側の面が内周側に延出されることで煙返し部２３ｄが形成されている。また、外召合わせ框２４の室内側壁２４ｂが、内周側が室外側寄りで外周側が室内側寄りとなる段差状となっており、外周側の面が内周側に延出されることで煙返し部２４ｄが形成されている。
【００８７】
このように、内召合わせ框２３と外召合わせ框２４の互いに対向する面を段差状として煙返し部を延出状に形成することもでき、内召合わせ框２３と外召合わせ框２４の互いに対向する面から突出する基部を形成したものと同様に、煙返し部が近接し合うように構成することができる。
【００８８】
以上、本発明の実施形態について説明したが、本発明の適用は本実施形態には限られず、その技術的思想の範囲内において様々に適用されうるものである。本実施形態では、召合わせ部分において隙間を発生させないための構成として、第１部材２３ｇ、第２部材２４ｇの他に、気密材２３ｅや上振止部品２５及び下振止部品２６を設けたが、少なくとも第１部材２３ｇ及び第２部材２４ｇがあればよく、気密材２３ｅと上振止部品２５及び下振止部品２６については、本発明における任意の構成である。
【符号の説明】
【００８９】
１    枠体
２    内障子
３    外障子
４    框体
５    パネル体
６    クレセント
７    受け金具
１０    上枠
１１    下枠
１２    縦枠
２０    上框
２１    下框
２２    縦框
２３    内召合わせ框
２３ｄ  煙返し部
２３ｅ  気密材
２４    外召合わせ框
２４ｄ  煙返し部
２４ｆ  基部
２５    上振止部品
２６    下振止部品
【図１】
2013224518.tif 000004
【図２】
2013224518.tif 000005
【図３】
2013224518.tif 000006
【図４】
2013224518.tif 000007
【図５】
2013224518.tif 000008
【図６】
2013224518.tif 000009
【図７】
2013224518.tif 000010
【図８】
2013224518.tif 000011
【図９】
2013224518.tif 000012
【図１０】
2013224518.tif 000013
【図１１】
2013224518.tif 000014